【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
（ａ）エポキシ樹脂；
（ｂ）当該エポキシ樹脂組成物が硬化すると、得られた硬化した積層用エポキシ樹脂組成物の靭性が増すような、少なくとも１つのエポキシ樹脂混和性ブロックセグメントと、少なくとも１つのエポキシ樹脂非混和性ブロックセグメントとを含む両親媒性ブロックコポリマー、ここで、当該非混和性ブロックセグメントはポリエーテル構造を少なくとも１つ含む；
（ｃ）硬化剤；及び
（ｄ）硬化触媒：
を含む硬化性積層用エポキシ樹脂ワニス組成物。
【請求項２】
前記両親媒性ブロックコポリマーが、少なくとも１つのエポキシ樹脂非混和性ブロックセグメントを含む両親媒性ポリエーテルブロックコポリマーであり、当該非混和性ブロックセグメントは、当該非混和性ブロックセグメントのポリエーテル構造が少なくとも４個の炭素原子を有するアルキレンオキシドモノマー単位を少なくとも１つ又は２つ以上含む条件の下、ポリエーテル構造を少なくとも１つ含む、請求項１に記載の組成物。
【請求項３】
前記両親媒性ブロックコポリマーが、少なくとも１つのエポキシ樹脂混和性ブロックセグメントと、少なくとも１つのエポキシ樹脂非混和性ブロックセグメントとを含む両親媒性ポリエーテルブロックコポリマーであり、当該混和性ブロックセグメントがポリエーテル構造を少なくとも１つ含む、請求項１又は２に記載の組成物。
【請求項４】
前記両親媒性ポリエーテルブロックコポリマーが、ジブロック、直鎖トリブロック、直鎖テトラブロック、高次の複数ブロック構造、分岐鎖ブロック構造、又は星型ブロック構造から成る群から選択される、請求項１〜３のいずれか一項に記載の組成物。
【請求項５】
前記混和性ブロックセグメントが、ポリエチレンオキシドブロック、プロピレンオキシドブロック又はポリ（エチレンオキシド−ｃｏ−プロピレンオキシド）ブロックを含み；そして前記非混和性ブロックセグメントが、ポリブチレンオキシドブロック、ポリヘキサレンオキシドブロック又はポリドデカレンオキシドブロックを含む、請求項１〜４のいずれか一項に記載の組成物。
【請求項６】
前記両親媒性ブロックコポリマーの前記混和性セグメントの少なくとも１つが、ポリ（エチレンオキシド）であり；そして前記両親媒性ブロックコポリマーの前記非混和性セグメントの少なくとも１つが、ポリ（ブチレンオキシド）である、請求項１〜５のいずれか一項に記載の組成物。
【請求項７】
前記両親媒性ブロックコポリマーが、ポリ（エチレンオキシド）−ポリ（ブチレンオキシド）又はポリ（エチレンオキシド）−ポリ（ブチレンオキシド）−ポリ（エチレンオキシド）である、請求項１〜６のいずれか一項に記載の組成物。
【請求項８】
前記両親媒性ブロックコポリマーが、１０００〜３０，０００の分子量を有する、請求項１〜７のいずれか一項に記載の組成物。
【請求項９】
前記両親媒性ブロックコポリマーの前記混和性セグメント：前記両親媒性ブロックコポリマーの前記非混和性セグメントの比率が、１０：１〜１：１０である、請求項１〜８のいずれか一項に記載の組成物。
【請求項１０】
前記両親媒性ブロックコポリマーが、前記組成物の重量に基づいて、０．１重量％〜３０重量％の量で存在する、請求項１〜９のいずれか一項に記載の組成物。
【請求項１１】
前記エポキシ樹脂が、多価アルコールのポリグリシジルエーテル、多価フェノールのポリグリシジルエーテル、ポリグリシジルアミン、ポリグリシジルアミド、ポリグリシジルイミド、ポリグリシジルヒダントイン、ポリグリシジルチオエーテル、エポキシ化脂肪酸又は乾性油、エポキシ化ポリオレフィン、エポキシ化不飽和二酸エステル、エポキシ化不飽和ポリエステル、及びそれらの混合物から成る群から選択される、請求項１〜１０のいずれか一項に記載の組成物。
【請求項１２】
前記エポキシ樹脂が、多価アルコールのグリシジルポリエーテル又は多価フェノールのグリシジルポリエーテルである、請求項１〜１１のいずれか一項に記載の組成物。
【請求項１３】
前記エポキシ樹脂が、３，４−エポキシシクロヘキシルメチル−３，４−エポキシシクロヘキシルカルボキシレート、１，２−エポキシ−４−ビニルシクロヘキサン、ビス（７−オキサビシクロ［４．１．０］ヘプタ−３−イルメチルヘキサン二酸エステル、３，４−エポキシシクロヘキサンカルボキシレートメチルエステル、及びそれらの混合物から成る群から選択される、請求項１〜１２のいずれか一項に記載の組成物。
【請求項１４】
前記エポキシ非混和性ブロックセグメントと同一組成のホモポリマーを包含する、請求項１〜１３のいずれか一項に記載の組成物。
【請求項１５】
前記エポキシ混和性ブロックセグメントと同一組成のホモポリマーを包含する、請求項１〜１４のいずれか一項に記載の組成物。
【請求項１６】
前記エポキシ樹脂が、１５０〜３０００のエポキシド当量を有する、請求項１〜１５のいずれか一項に記載の組成物。
【請求項１７】
難燃特性を有する、請求項１〜１６のいずれか一項に記載の組成物。
【請求項１８】
前記エポキシ樹脂が臭素化エポキシ樹脂である、請求項１〜１７のいずれか一項に記載の組成物。
【請求項１９】
前記エポキシ樹脂がリン元素含有エポキシ樹脂である、請求項１〜１７のいずれか一項に記載の組成物。
【請求項２０】
（ａ）エポキシ樹脂；
（ｂ）当該エポキシ樹脂組成物が硬化すると、得られた硬化した積層用エポキシ樹脂組成物の靭性が増すような、少なくとも１つのエポキシ樹脂混和性ブロックセグメントと、少なくとも１つのエポキシ樹脂非混和性ブロックセグメントとを含む両親媒性ブロックコポリマー、ここで、当該非混和性ブロックセグメントは、前記非混和性ブロックセグメントのポリエーテル構造が少なくとも４個の炭素原子を有する少なくとも１つ又は２つ以上のアルキレンオキシドモノマー単位を含む条件の下、当該ポリエーテル構造を少なくとも１つ含む；
（ｃ）硬化剤；及び
（ｄ）硬化触媒：
を混合することを含む硬化性積層用接着性エポキシ樹脂組成物の調製法。
【請求項２１】
積層板を調製するための方法であって、下記段階；
（Ｉ）補強基板を、下記を含む硬化性積層用組成物に含浸させる段階；
（ａ）エポキシ樹脂；
（ｂ）当該エポキシ樹脂組成物が硬化すると、得られた硬化した積層用エポキシ樹脂組成物の靭性が増すような、少なくとも１つのエポキシ樹脂混和性ブロックセグメントと、少なくとも１つのエポキシ樹脂非混和性ブロックセグメントとを含む両親媒性ブロックコポリマー、ここで、当該非混和性ブロックセグメントは、前記非混和性ブロックセグメントのポリエーテル構造が少なくとも４個の炭素原子を有する少なくとも１つ又は２つ以上のアルキレンオキシドモノマー単位を含む条件の下、当該ポリエーテル構造を少なくとも１つ含む；
（ｃ）硬化剤；及び
（ｄ）硬化触媒：そして
（ＩＩ）前記積層用組成物を硬化させるために十分な温度において、前記組成物で含浸させた前記基板を加熱する段階：
を含む方法。
【請求項２２】
前記補強基板がガラス繊維の織布である、請求項２１に記載の方法。
【請求項２３】
請求項２０に記載の方法により製造された積層板。
【請求項２４】
請求項２１又は２２に記載の方法により製造されたプリプレグ。
【請求項２５】
請求項１〜１９のいずれか一項に記載の硬化性組成物から製造された積層板。